(57)【要約】【課題】  ジョブ実行に対する管理ユーザーの迅速な承認を可能にする。【解決手段】  在席確認部４２は、管理ユーザーが端末装置１２〜１４に在席中であるか否かを確認する。ジョブ受付部４４は、ユーザーからのジョブ要求を受け付けると複数の管理ユーザーのいずれかからジョブ実行の承認を受ける必要があるか否かを判定し、承認を受ける必要がある場合には、承認を受けた後にジョブ要求によるジョブを実行する。承認要求部４５は、ジョブ受付部４４により承認を受ける必要があると判定された場合、在席確認部４２による確認結果に基づいて、在席中である管理ユーザーを選択し、選択した管理ユーザーに対して承認要求を送信する。【選択図】  図２
2012113359.tif 000002
【特許請求の範囲】
【請求項１】
画像形成装置と、
所定の複数の管理ユーザーが使用する複数の端末装置とを備え、
前記画像形成装置は、
前記管理ユーザーが前記端末装置に在席中であるか否かを確認する在席確認部と、
ユーザーからのジョブ要求を受け付けると前記複数の管理ユーザーのいずれかからジョブ実行の承認を受ける必要があるか否かを判定し、前記承認を受ける必要がある場合には、前記承認を受けた後に前記ジョブ要求によるジョブを実行するジョブ受付部と、
前記ジョブ受付部により前記承認を受ける必要があると判定された場合、前記在席確認部による確認結果に基づいて、在席中である前記管理ユーザーを選択し、選択した前記管理ユーザーに対して承認要求を送信する承認要求部とを有し、
前記端末装置は、前記画像形成装置から前記承認要求を受信すると、前記承認要求を表示し、前記管理ユーザーによる承認結果を前記画像形成装置へ送信すること、
を特徴とする画像形成システム。
【請求項２】
管理ユーザーが所定の端末装置に在席中であるか否かを確認する在席確認部と、
ユーザーからのジョブ要求を受け付けると、前記管理ユーザーからジョブ実行の承認を受ける必要があるか否かを判定し、前記承認を受ける必要がある場合には、前記承認を受けた後に前記ジョブ要求によるジョブを実行するジョブ受付部と、
前記ジョブ受付部により前記承認を受ける必要があると判定された場合、前記在席確認部による確認結果に基づいて、在席中である前記管理ユーザーを選択し、選択した前記管理ユーザーに対して承認要求を送信する承認要求部と、
を備えることを特徴とする画像形成装置。
【請求項３】
文書データファイルと前記文書データファイルを管理する管理ユーザーを示す文書管理データとを関連付けて記憶する記憶装置をさらに備え、
前記ジョブ受付部は、前記文書データファイルに基づくジョブの要求を受け付け、
前記承認要求部は、前記ジョブ要求により指定された前記文書データファイルを管理する管理ユーザーを前記文書管理データに基づいて特定し、特定した管理ユーザーから、在席中である前記管理ユーザーを選択し、選択した前記管理ユーザーに対して承認要求を送信すること、
を特徴とする請求項２記載の画像形成装置。
【請求項４】
前記ジョブ受付部は、前記ジョブ要求の内容および／または前記ユーザーの権限に基づいて前記ジョブ実行の承認を受ける必要があるか否かを判定することを特徴とする請求項２記載の画像形成装置。
【請求項５】
前記在席確認部は、所定期間内に前記管理ユーザーによる前記端末装置への操作があった場合、前記管理ユーザーが在席中であると判断することを特徴とする請求項２記載の画像形成装置。
【請求項６】
前記在席確認部は、前記端末装置において所定の処理が実行されている場合、前記管理ユーザーが在席中でないと判断することを特徴とする請求項５記載の画像形成装置。
【請求項７】
前記在席確認部は、前記管理ユーザーが前記端末装置へログインしている場合、前記管理ユーザーが在席中であると判断することを特徴とする請求項２記載の画像形成装置。
【請求項８】
ユーザーからのジョブ要求を受け付けると管理ユーザーからジョブ実行の承認を受ける必要があるか否かを判定するステップと、
前記管理ユーザーが所定の端末装置に在席中であるか否かを確認するステップと、
前記承認を受ける必要があると判定された場合、前記管理ユーザーの在席確認結果に基づいて、在席中である前記管理ユーザーを選択し、選択した前記管理ユーザーに対して承認要求を送信するステップと、
前記管理ユーザーによる前記承認を受け付けると、前記ジョブ要求によるジョブを実行するステップと、
を備えることを特徴とする画像形成方法。
【発明の詳細な説明】
【技術分野】
【０００１】
本発明は、画像形成システム、画像形成装置、および画像形成方法に関するものである。
【背景技術】
【０００２】
複合機などの画像形成装置内に蓄積されている文書データに基づいて印刷を行う場合、その文書データに所定の管理情報が付加されていれば、ユーザー認証やユーザーによる確認などの後にしか印刷が行えない画像形成装置がある（例えば特許文献１参照）。
【先行技術文献】
【特許文献】
【０００３】
【特許文献１】特開２００５−２２９３３５号公報
【発明の概要】
【発明が解決しようとする課題】
【０００４】
上述の技術では、ある文書データについて印刷要求を発行したユーザーがその文書データを管理する管理ユーザー（つまり、その文書データによる印刷等を許可する権限を有するユーザー）である場合にはただちに承認が受けられるが、印刷要求を発行したユーザーが管理ユーザーではない場合、管理ユーザーが在席していなければ、ただちに承認を受けることができない。
【０００５】
本発明は、上記の問題に鑑みてなされたものであり、管理ユーザーからジョブ実行の承認を迅速に受けることを可能にする画像形成システム、画像形成装置、および画像形成方法を得ることを目的とする。
【課題を解決するための手段】
【０００６】
上記の課題を解決するために、本発明では以下のようにした。
【０００７】
本発明に係る画像形成システムは、画像形成装置と、所定の複数の管理ユーザーが使用する複数の端末装置とを備える。そして、画像形成装置は、（ａ）管理ユーザーが端末装置に在席中であるか否かを確認する在席確認部と、（ｂ）ユーザーからのジョブ要求を受け付けると複数の管理ユーザーのいずれかからジョブ実行の承認を受ける必要があるか否かを判定し、承認を受ける必要がある場合には、承認を受けた後にジョブ要求によるジョブを実行するジョブ受付部と、（ｃ）ジョブ受付部により承認を受ける必要があると判定された場合、在席確認部による確認結果に基づいて、在席中である管理ユーザーを選択し、選択した管理ユーザーに対して承認要求を送信する承認要求部とを有する。一方、端末装置は、画像形成装置から承認要求を受信すると、その承認要求を表示し、管理ユーザーによる承認結果を画像形成装置へ送信する。
【０００８】
これにより、複数の管理ユーザーのうち、在席している管理ユーザーに対して承認要求が送信されるため、管理ユーザーからジョブ実行の承認を迅速に受けることを可能にする。
【０００９】
本発明に係る画像形成装置は、（ａ）管理ユーザーが所定の端末装置に在席中であるか否かを確認する在席確認部と、（ｂ）ユーザーからのジョブ要求を受け付けると、管理ユーザーからジョブ実行の承認を受ける必要があるか否かを判定し、承認を受ける必要がある場合には、承認を受けた後にジョブ要求によるジョブを実行するジョブ受付部と、（ｃ）ジョブ受付部により承認を受ける必要があると判定された場合、在席確認部による確認結果に基づいて、在席中である管理ユーザーを選択し、選択した管理ユーザーに対して承認要求を送信する承認要求部とを備える。
【００１０】
これにより、在席している管理ユーザーに対して承認要求が送信されるため、管理ユーザーからジョブ実行の承認を迅速に受けることを可能にする。
【００１１】
また、本発明に係る画像形成装置は、上記の画像形成装置に加え、次のようにしてもよい。この場合、画像形成装置は、文書データファイルと文書データファイルを管理する管理ユーザーを示す文書管理データとを関連付けて記憶する記憶装置をさらに備える。そして、ジョブ受付部は、文書データファイルに基づくジョブの要求を受け付け、承認要求部は、そのジョブ要求により指定された文書データファイルを管理する管理ユーザーを文書管理データに基づいて特定し、特定した管理ユーザーから、在席中である管理ユーザーを選択し、選択した管理ユーザーに対して承認要求を送信する。
【００１２】
また、本発明に係る画像形成装置は、上記の画像形成装置のいずれかに加え、次のようにしてもよい。この場合、ジョブ受付部は、ジョブ要求の内容および／またはユーザーの権限に基づいてジョブ実行の承認を受ける必要があるか否かを判定する。
【００１３】
また、本発明に係る画像形成装置は、上記の画像形成装置のいずれかに加え、次のようにしてもよい。この場合、在席確認部は、所定期間内に管理ユーザーによる端末装置への操作があった場合、管理ユーザーが在席中であると判断する。
【００１４】
また、本発明に係る画像形成装置は、上記の画像形成装置のいずれかに加え、次のようにしてもよい。在席確認部は、端末装置において所定の処理が実行されている場合、管理ユーザーが在席中でないと判断する。
【００１５】
また、本発明に係る画像形成装置は、上記の画像形成装置のいずれかに加え、次のようにしてもよい。この場合、在席確認視部は、管理ユーザーが端末装置へログインしている場合、管理ユーザーが在席中であると判断する。
【００１６】
本発明に係る画像形成方法は、（ａ）ユーザーからのジョブ要求を受け付けると管理ユーザーからジョブ実行の承認を受ける必要があるか否かを判定するステップと、（ａ）管理ユーザーが所定の端末装置に在席中であるか否かを確認するステップと、（ｃ）承認を受ける必要があると判定された場合、管理ユーザーの在席確認結果に基づいて、在席中である管理ユーザーを選択し、選択した管理ユーザーに対して承認要求を送信するステップと、（ｄ）管理ユーザーによる承認を受け付けると、ジョブ要求によるジョブを実行するステップとを備える。
【００１７】
これにより、在席している管理ユーザーに対して承認要求が送信されるため、管理ユーザーからジョブ実行の承認を迅速に受けることを可能にする。
【発明の効果】
【００１８】
本発明によれば、在席している管理ユーザーに対して承認要求が送信されるため、管理ユーザーからジョブ実行の承認を迅速に受けることが可能になる。
【図面の簡単な説明】
【００１９】
【図１】図１は、本発明の実施の形態に係る画像形成システムの構成を示すブロック図である。
【図２】図２は、図１における画像形成装置の構成を示すブロック図である。
【図３】図３は、図１における端末装置の構成を示すブロック図である。
【図４】図４は、図１に示す画像形成装置によるジョブ要求の処理について説明するフローチャートである。
【発明を実施するための形態】
【００２０】
以下、図に基づいて本発明の実施の形態を説明する。
【００２１】
図１は、本発明の実施の形態に係る画像形成システムの構成を示すブロック図である。図１に示すシステムでは、画像形成装置１がネットワーク２に接続されている。また、ネットワーク２には、ユーザーがジョブ要求を発行するために使用する端末装置１１の他、複数の管理ユーザーが使用する端末装置１２〜１４が接続されている。管理ユーザーは、画像形成装置１においてジョブの実行に承認が必要な場合に、承認を行うユーザーである。
【００２２】
図１に示す画像形成装置１は、プリンター、コピー機、ファクシミリ機、複合機などといった装置である。ネットワーク２は、ＬＡＮ（Local Area Network）および／またはＷＡＮ（Wide Area Network）で構成されるコンピューターネットワークである。端末装置１１〜１４は、例えば各種ソフトウェアがインストールされたパーソナルコンピューターである。
【００２３】
図２は、図１における画像形成装置１の構成を示すブロック図である。図２に示すように、画像形成装置１は、操作パネル３１、印刷装置３２、画像読取装置３３と、ファクシミリ装置３４と、通信装置３５と、記憶装置３６と、コンピューター３７とを備える。
【００２４】
操作パネル３１は、画像形成装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。
【００２５】
印刷装置３２は、印刷データに基づいて原稿画像を印刷する内部デバイスである。画像読取装置３３は、原稿から原稿画像を光学的に読み取り、原稿画像の画像データを生成する内部デバイスである。ファクシミリ装置３４は、送信すべき原稿画像の画像データからファクシミリ信号を生成し送信するとともに、ファクシミリ信号を受信し画像データに変換する内部デバイスである。
【００２６】
また、通信装置３５は、ネットワーク２に接続され、ネットワーク２を介して他の装置（端末装置１１〜１４など）と所定の通信プロトコルでデータ通信を行う装置である。通信装置３５としては、ネットワークインターフェース、モデムなどが使用される。
【００２７】
また、記憶装置３６は、ハードディスクドライブ、フラッシュメモリーなどといった不揮発性の記憶装置であり、ユーザーデータ３６ａ、文書データファイル３６ｂ、文書管理データ３６ｃなどを記憶している。
【００２８】
ユーザーデータ３６ａは、ユーザーの登録情報を有する。登録情報には、ユーザーＩＤ、その他の属性情報などが含まれる。
【００２９】
文書データファイル３６ｂは、画像読取装置３３による原稿の画像読取で生成された画像データ、ファクシミリ装置３４によるファクシミリ受信で生成された画像データ、端末装置１２〜１４などから管理ユーザーによりアップロードされた画像データなどといった文書データを含むファイルである。記憶装置３６には、１または複数の文書データファイル３６ｂが記憶可能である。
【００３０】
文書管理データ３６ｃは、文書データファイル３６ｂと、その文書データファイル３６ｂを管理する管理ユーザー（管理ユーザーのユーザーＩＤ）との対応関係の情報を有する。なお、文書データファイル３６ｂが記憶装置３６に記憶される際に、その文書データファイル３６ｂについての文書管理データ３６ｃが併せて記憶される。そのとき、文書データファイル３６ｂを記憶させたユーザー、およびそのユーザーにより追加設定されたユーザーが管理ユーザーとなる。
【００３１】
また、コンピューター３７は、ＣＰＵ（Central Processing Unit）、ＲＯＭ（Read Only Memory）、ＲＡＭ（Random Access Memory）などを有し、図示せぬ記憶装置、ＲＯＭなどからＲＡＭへプログラムをロードし、そのプログラムをＣＰＵで実行することにより、各種処理部を実現する。
【００３２】
画像形成装置１の起動後に、各種プログラムがコンピューター３７により適宜実行される。この実施の形態では、コンピューター３７により、図示せぬオペレーティングシステム、通信処理部４１、在席確認部４２、制御部４３、ジョブ受付部４４、承認要求部４５などの処理部が実現される。
【００３３】
通信処理部４１は、通信装置３５を制御して所定の通信プロトコルでデータ通信を実行する処理部である。
【００３４】
在席確認部４２は、後述の在席通知部７１と通信して、管理ユーザーが管理ユーザーの端末装置１２〜１４に在席中であるか否かを確認する。例えば、在席確認部４２は、所定期間内に管理ユーザーによる端末装置１２〜１４への操作があった場合、その管理ユーザーが在席中であると判断する。また、例えば、在席確認部４２は、管理ユーザーが端末装置１２〜１４へログインしている場合、管理ユーザーが在席中であると判断する。
【００３５】
制御部４３は、操作パネル３１、印刷装置３２、画像読取装置３３、ファクシミリ装置３４などといった内部デバイスを監視および制御する処理部である。
【００３６】
ジョブ受付部４４は、ユーザーからのジョブ要求を受け付けると１または複数の管理ユーザーのいずれかからジョブ実行の承認を受ける必要があるか否かを判定し、承認を受ける必要がある場合には、承認を受けた後にジョブ要求によるジョブを実行する。
【００３７】
承認要求部４５は、ジョブ受付部４４により承認を受ける必要があると判定された場合、在席確認部４２による確認結果に基づいて、在席中である管理ユーザーを選択し、選択した管理ユーザーに対して承認要求を送信する。
【００３８】
図３は、図１における端末装置１２の構成を示すブロック図である。
【００３９】
端末装置１２は、通信装置６１と、表示装置６２と、入力装置６３と、コンピューター６４とを備える。
【００４０】
通信装置６１は、ネットワーク２に接続され、ネットワーク２を介して他の装置（画像形成装置１など）とデータ通信を行う装置である。通信装置６１としては、ネットワークインターフェース、モデムなどが使用される。
【００４１】
表示装置６２は、端末装置１２のユーザー（管理ユーザー）に対して各種画面を表示する、液晶ディスプレイなどといった装置である。入力装置６３は、そのユーザーによるユーザー操作を検出する、キーボード、マウスなどといった装置である。
【００４２】
また、コンピューター６４は、ＣＰＵ、ＲＯＭ、ＲＡＭなどを有し、図示せぬ記憶装置、ＲＯＭなどからＲＡＭへプログラムをロードし、そのプログラムをＣＰＵで実行することにより、各種処理部を実現する。
【００４３】
端末装置１２の起動後に、各種プログラムがコンピューター６４により適宜実行される。この実施の形態では、コンピューター６４により、図示せぬオペレーティングシステム、在席通知部７１、承認処理部７２などの処理部が実現される。
【００４４】
在席通知部７１は、ユーザー（管理ユーザー）がこの端末装置１２にログインすると起動し、そのユーザーが端末装置１２にログインした旨およびそのユーザーのユーザーＩＤを画像形成装置１の在席確認部４２に通知し、その後、そのユーザーが端末装置１２を使用しているか否かを監視し、画像形成装置１の在席確認部４２からの要求に応じて、そのユーザーの在席状況を在席確認部４２へ通知する。
【００４５】
承認処理部７２は、画像形成装置１の承認要求部４５からの承認要求を受信すると、承認要求を表示装置６２に表示させ、入力装置６３に対して承認の操作または拒否の操作が行われると、その承認結果を、承認要求の応答として画像形成装置１の承認要求部４５へ送信する。
【００４６】
なお、端末装置１３，１４も端末装置１２と同様に構成されている。また、端末装置１１は、画像形成装置１へジョブ要求を発行するドライバーをインストールされたパーソナルコンピューターなどであり、そのハードウェア構成は端末装置１２〜１４と同様である。管理ユーザーが端末装置１１を使用することがある場合には、端末装置１１も端末装置１２と同様に構成される。
【００４７】
次に、上記システムにおける各装置の動作について説明する。
【００４８】
図４は、図１に示す画像形成装置１によるジョブ要求の処理について説明するフローチャートである。
【００４９】
ジョブ受付部４４は、操作パネル３１または端末装置１１からのユーザーによるジョブ要求を受け付ける（ステップＳ１１）。
【００５０】
ジョブ受付部４４は、ジョブ要求を受け付けると、ジョブ要求により指定されたジョブの実行について、管理ユーザーから承認を受ける必要があるか否かを判定する（ステップＳ１２）。このとき、ジョブ受付部４４は、ジョブ要求の内容（ジョブ種別、印刷対象の画像データなど）および／またはユーザーの権限に基づいてジョブ実行の承認を受ける必要があるか否かを判定する。
【００５１】
例えば、印刷実行の権限のないユーザーが印刷ジョブを実行させる場合には、管理ユーザーの承認を受ける必要がある。また、例えば、所定のセキュリティレベルの画像データについて印刷ジョブを実行させる場合には、管理ユーザーの承認を受ける必要がある。その場合、セキュリティレベルを示す情報が画像データに埋め込まれており、ジョブ受付部４４は、その画像データからその情報を抽出する。
【００５２】
承認を受ける必要がない場合には、ジョブ受付部４４は、そのジョブ要求により指定されたジョブ（印刷、コピー、ファクシミリ送信など）を実行する（ステップＳ１３）。
【００５３】
一方、承認を受ける必要があると判定された場合、在席確認部４２は、通信装置３５および通信処理部４１を使用して、そのジョブ要求について承認を行うことができる管理ユーザーの端末装置（端末装置１２〜１４のいずれか）の在席通知部７１と通信し、その管理ユーザーが在席しているか否かを確認する。そして、承認要求部４５は、在席確認部４２による確認結果に基づいて、在席中の管理ユーザーを特定し（ステップＳ１４）、在席中の管理ユーザーが複数存在する場合には１人の管理ユーザーを選択し（ステップＳ１５）、通信装置３５および通信処理部４１を使用して、選択した管理ユーザーの端末装置（端末装置１２〜１４のいずれか）に対して承認要求を送信する（ステップＳ１６）。
【００５４】
例えば、ジョブ受付部４４が、文書データファイル３６ｂに基づくジョブ（印刷、ファクシミリ送信など）の要求を受け付け、そのジョブの実行に管理ユーザーの承認を受ける必要があると判定した場合、承認要求部４５は、そのジョブ要求により指定された文書データファイル３６ｂを管理する管理ユーザーを、文書管理データ３６ｃに基づいて特定し、特定した管理ユーザーから、在席中の管理ユーザーを選択し、選択した管理ユーザー（つまり、その管理ユーザーが使用中の端末装置）に対して承認要求を送信する。
【００５５】
この承認要求には、ジョブを発行したユーザーのＩＤおよび氏名、ジョブ種別およびその文書データファイル名などの情報が含まれている。
【００５６】
その端末装置では、承認処理部７２が、通信装置６１を使用して、この承認要求を受信し、この承認要求に含まれている、ジョブを発行したユーザーのＩＤおよび氏名、ジョブ種別およびその文書データファイル名などの情報を、承認ボタンおよび拒否ボタンとともに、例えばポップアップウィンドウなどで、表示装置６２に表示させる。そして、管理ユーザーは、その情報を確認した上で、入力装置６３を操作して、承認ボタンおよび拒否ボタンのいずれかを押下する。その操作を検出すると、承認処理部７２は、その承認結果（承認または拒否）を承認要求の応答として、通信装置６１を使用して、画像形成装置１の承認要求部４５に送信する。
【００５７】
画像形成装置１の承認要求部４５は、通信装置３５および通信処理部４１を使用して、その応答を受信すると、その応答に含まれる承認結果に基づいて、ジョブの実行が承認されたか否かを判定する（ステップＳ１７）。
【００５８】
ジョブの実行が承認された場合、ジョブ受付部４４は、そのジョブ要求により指定されたジョブ（印刷、コピー、ファクシミリ送信など）を実行する（ステップＳ１３）。
【００５９】
一方、ジョブの実行が承認されなかった場合、ジョブ受付部４４は、そのジョブの実行を拒否し、そのジョブ要求を破棄する（ステップＳ１８）。
【００６０】
以上のように、上記実施の形態によれば、在席確認部４２は、管理ユーザーが端末装置１２〜１４に在席中であるか否かを確認する。ジョブ受付部４４は、ユーザーからのジョブ要求を受け付けると複数の管理ユーザーのいずれかからジョブ実行の承認を受ける必要があるか否かを判定し、承認を受ける必要がある場合には、承認を受けた後にジョブ要求によるジョブを実行する。承認要求部４５は、ジョブ受付部４４により承認を受ける必要があると判定された場合、在席確認部４２による確認結果に基づいて、端末装置１２〜１４に在席中である管理ユーザーを選択し、選択した管理ユーザーに対して承認要求を送信する。
【００６１】
これにより、複数の管理ユーザーのうち、在席している管理ユーザーに対して承認要求が送信されるため、管理ユーザーからジョブ実行の承認を迅速に受けることが可能になる。
【００６２】
なお、上述の実施の形態は、本発明の好適な例であるが、本発明は、これらに限定されるものではなく、本発明の要旨を逸脱しない範囲において、種々の変形、変更が可能である。
【００６３】
例えば、上記実施の形態において、在席通知部７１は、端末装置１２〜１４においてスクリーンセーバー等の所定の処理が実行中である場合（すなわち、端末装置１２〜１４において所定期間内に管理ユーザーによる操作がなかったと判定できる場合）には、管理ユーザーが在席していないと判定するようにしてもよい。
【００６４】
上記実施の形態においては、管理ユーザーの端末装置１２〜１４は３台であるが、３台に限定されるものではない。また、管理ユーザーの人数は、複数であれば何人でもよい。また、あるユーザーに対して承認を行う複数の管理ユーザーをユーザーデータ３６ａに登録しておき、ジョブ要求を発行したユーザーについてユーザーデータ３６ａに登録されている複数の管理ユーザーから、在席中の管理ユーザーを選択するようにしてもよい。
【００６５】
また、上記実施の形態において、各管理ユーザーが使用する端末装置は固定的に決められていてもよいし、所定の複数の端末装置のいずれも、各管理ユーザーが使用可能としてもよい。後者の場合、画像形成装置１の在席確認部４２は、在席通知部７１によるログイン時の通知で、ある管理ユーザーが使用している端末装置を特定する。
【００６６】
また、上記実施の形態において、在席確認部４２は、承認が必要なジョブ要求が受け付けられた時点で管理ユーザーの在席確認を行っているが、その代わりに、定期的に、管理ユーザーの在席状況を確認するようにしてもよい。その場合、承認が必要なジョブ要求が受け付けられたときに、在席確認をすることなく、ただちに在席中の管理ユーザーを特定することができる。
【産業上の利用可能性】
【００６７】
本発明は、例えば、複数のユーザーにより使用される画像形成装置に適用可能である。
【符号の説明】
【００６８】
１  画像形成装置
１２〜１４  端末装置
４２  在席確認部
４４  ジョブ受付部
４５  承認要求部
【図１】
2012113359.tif 000003
【図２】
2012113359.tif 000004
【図３】
2012113359.tif 000005
【図４】
2012113359.tif 000006